(57)【要約】【課題】異音や外れを防止することができるとともに、作業性の向上を図ることができるプロテクタを提供する。【解決手段】本発明のプロテクタ１０は、ワイヤハーネス８０を収容するプロテクタ本体１５と、プロテクタ本体１５の側部に配され、補機部材７０を保持する複数の保持部１６，１７，１８，１９，２０と、プロテクタ本体１５の外側に巻回されたテープ部材２１とを備えている。このプロテクタ１０は、複数の保持部１６，１７，１８，１９，２０のうち、少なくとも一対の保持部１６，１７の間隔がテープ部材２１の幅に略等しく設定されている。【選択図】　　図１
2004064918.tif 000002
【特許請求の範囲】
【請求項１】
ワイヤハーネスを収容するプロテクタ本体と、前記プロテクタ本体の側部に配され、補機部材を保持する複数の保持部と、前記プロテクタ本体の外側に巻回されたテープ部材と、を備えたプロテクタであって、
少なくとも一対の前記保持部の間隔が、前記テープ部材の幅に略等しく設定されていることを特徴とするプロテクタ。
【請求項２】
前記保持部の間が、前記テープ部材の巻き付け位置に相当することを特徴とする請求項１に記載のプロテクタ。
【請求項３】
前記テープ部材が、ウレタン樹脂テープであることを特徴とする請求項１または２に記載のプロテクタ。
【発明の詳細な説明】
【０００１】
【発明の属する技術分野】
本発明は、ワイヤハーネスの周囲を覆って保護するとともに、車体パネルに沿ってワイヤハーネスを配設するワイヤハーネス用のプロテクタに関する。
【０００２】
【従来の技術】
従来、自動車等には多数のワイヤハーネスが配索されており、これらワイヤハーネスの中には自動車の車体パネルの表面に沿って配設されるものがある。この場合、ワイヤハーネスは自動車の走行に伴って揺動し、車体パネル表面と擦れ合うばかりでなく、ワイヤハーネスの周囲の部品等とも擦れ合うことになる。
そのため、ワイヤハーネスを構成する個々の電線の絶縁被覆が破れないようにワイヤハーネスを保護しつつ車体パネル表面に固定されなければならない。よって、ワイヤハーネスの周囲を覆いながらワイヤハーネスを車体パネル表面に固定することができる種々の形式のプロテクタが提案されている。
【０００３】
このようなプロテクタにおいては、ワイヤハーネスを保護するのに加え、ウォッシャタンクに貯蔵された洗浄液をウォッシャノズルへ送給するためのウォッシャホースや、フューエルタンクの燃料をエンジンに送給するポンプに電流を供給するフューエルケーブル等の補機部材を支持したりするようにしたものがある。その場合、メインのワイヤハーネスを収容するコ字形状のプロテクタ本体の外側にＬ字形状の保持部が形成され、メインのワイヤハーネスを収容したプロテクタ本体の外側にテープ部材が巻き付けられ、テープ部材の外側の保持部に補機部材が保持される。プロテクタ本体の外側に保持部を設けたプロテクタとしては、特開平９　−６５５４２号公報等に開示されている。
【０００４】
【発明が解決しようとする課題】
しかしながら、上記保持部が設けられた従来のプロテクタは、プロテクタ本体の外側に巻き付けられたテープ部材に滑りを防止する機能がないため、テープ部材に滑りが生じた場合、保持部内でフューエルケーブル等の補機部材にガタ付きが起き、異音が発生するという問題があった。
また、テープ部材に滑りが生じることによって、ウォッシャホース等の補機部材が保持部から外れ、プロテクタからはみ出したりした場合、車体パネルへの取付け時にウォッシャホース等を噛み込んでしまうという問題があった。
また、テープ部材の巻き付け位置が明確でないため、作業者によって巻き付け位置が異なることがあり、テープ部材の機能が十分に発揮されない場合があるという問題があった。
【０００５】
本発明は、上記課題を解決するためになされたものであり、異音や外れを防止することができるとともに、作業性の向上を図ることができるプロテクタを提供することを目的とする。
【０００６】
【課題を解決するための手段】
本発明の請求項１記載のプロテクタは、ワイヤハーネスを収容するプロテクタ本体と、前記プロテクタ本体の側部に配され、補機部材を保持する複数の保持部と、前記プロテクタ本体の外側に巻回されたテープ部材と、を備えたプロテクタであって、少なくとも一対の前記保持部の間隔が、前記テープ部材の幅に略等しく設定されていることを特徴とする。
【０００７】
前記構成のプロテクタによれば、プロテクタ本体の外側に巻回されるテープ部材の幅に略等しく少なくとも一対の保持部の間隔が設定されている。
したがって、テープ部材が２個の保持部の間に巻き付けられるため、テープ部材に滑りが生じることはなく、ガタ付きや外れを生じることなく補機部材が保持部に確実に保持される。よって、異音や外れを防止することができるとともに、テープ部材が保持部の間に巻き付けられることにより作業性の向上を図ることができる。
【０００８】
本発明の請求項２記載のプロテクタは、前記保持部の間が前記テープ部材の巻き付け位置に相当することを特徴とする請求項１に記載のプロテクタである。
前記構成のプロテクタによれば、保持部の間にテープ部材の巻き付け位置が設定されるので、テープ部材の巻き付け位置が明確になり、作業者によって巻き付け位置が異なることがなくなり、テープ部材の機能を十分に発揮させることができる。
【０００９】
本発明の請求項３記載のプロテクタは、前記テープ部材が、ウレタン樹脂テープであることを特徴とする請求項１または２に記載のプロテクタである。
前記構成のプロテクタによれば、ウレタン樹脂テープのテープ部材が用いられているので、表面の摩擦がより大きくなり、保持部での補機部材に対する保持力を一層向上させることができ、異音や外れに対する防止機能を向上させることができる。
【００１０】
【発明の実施の形態】
以下、本発明のプロテクタの一実施形態を図１及び図２に基づいて詳細に説明する。図１は本発明のプロテクタの一実施形態の外観斜視図、図２は図１におけるプロテクタのテープ部材周りの拡大図である。
図１に示すように、本実施形態のプロテクタ１０は、天板１１、一対の第１，第２の側板１２，１３、底板１４からなるプロテクタ本体１５と、第１の側板１２の表面上に配された第１，第２，第３，第４，第５の保持部１６，１７，１８，１９，２０と、テープ部材２１と、から構成されている。
【００１１】
プロテクタ本体１５を形成する天板１１、第１，第２の側板１２，１３は、ワイヤハーネス８０に沿った長さを有し、断面視逆Ｕ字形状に形成されている。天板１１の両端部には、ワイヤハーネス８０の一部を結束するハーネス結束部２２，２３が形成されている。
天板１１には、４個の治具挿入孔２４，２５，２６，２７が形成されている。治具挿入孔２４，２５，２６，２７は、ワイヤハーネス８０を配索するときに、図示しない治具を挿入してワイヤハーネス８０の位置決めをするのに用いられる。
【００１２】
プロテクタ本体１５を形成する底板１４は、第１，第２の側板１２，１３のうち図１中の後方側に配される第２の側板１３の底部に図示しないヒンジを介して連結されている。
ヒンジの反対側に５個配された側板係止部２８，２９，３０，３１，３２が第１の側板１２の底部に形成された底板固定部３３，３４，３５，３６，３７にスナップアクション式に係合されることで、第１の側板１２に固定されている。そして、底板１４が第１の側板１２に固定されることにより、天板１１と、第１，第２の側板１２，１３と、底板１４とから断面視ロ字形状をなしてワイヤハーネス８０を収容する空間が形成される。
第２の側板１３の表面には、車体パネルへの固定用の２個のクリップ３８，３９が長さ方向に間隔を置いて突出形成されている。
【００１３】
第１，第２，第３，第４，第５の保持部１６，１７，１８，１９，２０は、第１の側板１２の長さ方向に沿って間隔を置いて配されている。第１，第２の保持部１６，１７は、第１の側板１２の一端部寄りに配され、第３，第４の保持部１８，１９は、第１の側板１２の中央部に配され、第５の保持部２０は、第１の側板１２の他端部寄りに配されている。
各保持部１６，１７，１８，１９，２０は、Ｌ字状の板形状にして第１の側板１２の表面上に突出形成されており、各内側に補機部材支持面１６ａ，１７ａ，１８ａ，１９ａ，２０ａが形成されている。各補機部材支持面１６ａ，１７ａ，１８ａ，１９ａ，２０ａは、ウォッシャホースやフューエルケーブル等の補機部材７０の外径よりもわずかに小さい径寸法を有する。そして、第１，第２，第３，第４，第５の保持部１６，１７，１８，１９，２０の補機部材支持面１６ａ，１７ａ，１８ａ，１９ａ，２０ａに、ウォッシャホースやフューエルケーブル等の補機部材７０が挿入保持されている。
【００１４】
テープ部材２１は、ウレタン樹脂部材により成形されたウレタン樹脂テープであり、天板１１と、第１，第２の側板１２，１３と、底板１４とからなるロ字形状の外側の第１，第２の保持部１６，１７の間に巻き付けられている。テープ部材２１が巻き付けられることによって、第１，第２の保持部１６，１７は、補機部材支持面１６ａ，１７ａの径寸法が小さくされる。
【００１５】
図２に示すように、第１，第２の保持部１６，１７の間隔寸法Ｌ１は、テープ部材２１の幅寸法Ｌ２に略等しく設定されており、第１，第２の保持部１６，１７の間隔寸法Ｌ１でもって、天板１１と、第１，第２の側板１２，１３と、底板１４とからなるロ字形状の一部にテープ部材２１を巻き付けるテープ巻付部４０が設定されている。
【００１６】
テープ部材２１の幅寸法Ｌ２に略等しく間隔寸法Ｌ１が設定された第１，第２の保持部１６，１７間のテープ巻付部４０にテープ部材２１が巻き付けられている。そのため、テープ部材２１を巻き付ける際に巻き付け位置が明確になるので、作業者によって巻き付け位置が異なることがなくなり、テープ部材２１の機能を十分に発揮することができる。
【００１７】
テープ部材２１の幅寸法Ｌ２に略等しく間隔寸法Ｌ１が設定された第１，第２の保持部１６，１７の間に、テープ巻付部４０にテープ部材２１が巻き付けられているため、テープ部材２１にプロテクタ本体１５の長手方向に滑りを生じることがない。
そして、テープ巻付部４０にテープ部材２１が巻き付けられていることによって、第１，第２の保持部１６，１７の補機部材支持面１６ａ，１７ａの幅寸法が小さくされているため、補機部材支持面１６ａ，１７ａに挿入されたウォッシャホースやフューエルケーブル等の補機部材７０にガタ付きや外れを生じることなく確実に保持される。
【００１８】
また、テープ部材２１の幅寸法Ｌ２に略等しく間隔寸法Ｌ１が設定された第１，第２の保持部１６，１７間に、テープ巻付部４０にウレタン樹脂製のテープ部材２１が巻き付けられているため、ウレタン樹脂製のテープ部材２１によって、表面の摩擦がより大きくなる。
これにより、第１，第２の保持部１６，１７の補機部材支持面１６ａ，１７ａに挿入されたウォッシャホースやフューエルケーブル等の補機部材７０に対する保持力をより大きくすることができる。
【００１９】
このようなプロテクタ１０は、底板１４が第１の側板１２に結合されていない状態で、天板１１、第１，第２の側板１２，１３から囲まれた空間内に、ワイヤハーネス８０が収容され、ワイヤハーネス８０の一部がハーネス結束部２２，２３に結束される。そして、底板１４が第１の側板１２に結合され、テープ部材２１が第１，第２の保持部１６，１７間のテープ巻付部４０に巻き付けられてから、車体パネルの板方向に沿ってクリップ３８，３９を介して嵌合固定される。
その後、車体パネル上の各保持部１６，１７，１８，１９，２０の補機部材支持面１６ａ，１７ａ，１８ａ，１９ａ，２０ａに、ウォッシャホースやフューエルケーブル等の補機部材７０が挿入保持される。
【００２０】
上述したように本実施形態のプロテクタ１０によれば、プロテクタ本体１５の外側に巻回されるテープ部材２１の幅寸法Ｌ２に略等しく第１，第２の保持部１６，１７の間隔寸法Ｌ１が設定されている。
したがって、テープ部材２１が２個の第１，第２の保持部１６，１７の間に巻き付けられるため、テープ部材２１に滑りが生じることがなくなる。よって、ガタ付きや外れを生じることなく補機部材７０が第１，第２保持部１６，１７に保持されるため、異音や外れを防止することができる。
また、テープ部材２１が第１，第２の保持部１６，１７の間に巻き付けられることで、作業性の向上を図ることができる。
【００２１】
また、本実施形態のプロテクタ１０によれば、第１，第２の保持部１６，１７の間にテープ部材２１の巻き付け位置が設定されているので、テープ部材２１の巻き付け位置が明確になる。これにより、作業者によって巻き付け位置が異なることがなくなり、テープ部材の機能を十分に発揮することができる。
【００２２】
また、本実施形態のプロテクタ１０によれば、ウレタン樹脂テープのテープ部材が用いられているので、ウレタン樹脂テープのテープ部材２１によって、表面の摩擦抵抗がより大きくなる。これにより、第１，第２の保持部１６，１７の補機部材７０に対する保持力がさらに大きくなり、異音や外れに対する防止機能が一層向上する。
【００２３】
なお、本発明に係るプロテクタは、上述した実施形態に限定されるものではなく、適宜な変形及び改良等が可能である。
例えば、テープ部材２１を巻き付ける位置として、第１，第２の保持部１６，１７の間に代えて、第２，第３の保持部１７，１８の間や、第３，第４の保持部１８，１９の間、或いは第４，第５の保持部１９，２０の間に設定しても良い。それらの場合、テープ部材２１の幅寸法に略等しい寸法に保持部の間隔を定めるのが好ましい。
また、補機部材７０として、ウォッシャホースやフューエルケーブル等に代え、ワイヤハーネス８０とは別回路のサブハーネスを用いて、各保持部１６，１７，１８，１９，２０に挿入保持するようにしても良い。
【００２４】
【発明の効果】
以上説明したように本発明の請求項１記載のプロテクタによれば、プロテクタ本体の外側に巻回されるテープ部材の幅に略等しく少なくとも一対の保持部の間隔が設定されているので、テープ部材が２個の保持部間に巻き付けられる。
したがって、テープ部材に滑りが生じることがなく、ガタ付きや外れを生じることなく補機部材が保持部に保持されるため、異音や外れを防止することができる。また、テープ部材が特定の保持部間に確実に巻き付けられるので、作業性の向上を図ることができる。
【００２５】
本発明の請求項２記載のプロテクタによれば、保持部の間にテープ部材の巻き付け位置が設定されているので、テープ部材の巻き付け位置が明確になり、作業者によって巻き付け位置が異なることがなくなるので、テープ部材の機能を十分に発揮することができる。
【００２６】
本発明の請求項３記載のプロテクタによれば、ウレタン樹脂テープのテープ部材が用いられるので、表面の摩擦抵抗がより大きくなり、保持部の補機部材に対する保持力がさらに大きくなるので、異音や外れに対する防止機能が一層向上する。
【図面の簡単な説明】
【図１】本発明のプロテクタの一実施形態を示す外観斜視図である。
【図２】図１におけるテープ部材周りの拡大図である。
【符号の説明】
１０　プロテクタ
１５　プロテクタ本体
１６　第１の保持部（保持部）
１７　第２の保持部（保持部）
１８　第３の保持部（保持部）
１９　第４の保持部（保持部）
２０　第５の保持部（保持部）
２１　テープ部材
４０　テープ巻付部（巻き付け位置）
７０　補機部材
８０　ワイヤハーネス
【図１】
2004064918.tif 000003
【図２】
2004064918.tif 000004